(57)【要約】【課題】供給ラインを相互に接続してアクチュエータに近接配置可能とした電磁弁装置を提供する。【解決手段】両端に一対の接続ポート２，３を有する供給ライン１を有し、その途中から分岐孔５を分岐させた供給ユニットＳＵと、弁ボディ１０に形成された弁孔１２内に弁部材１３が摺動自在に収容され、上記弁部材内に分岐孔に連通する導通孔１８を設け、上記弁孔に一対の第１及び第２ポートＡｘ，Ｂｘ及びＡｙ，Ｂｙを有する二組の出力ポート１６，１７、並びに必要な排出ポート１４，１５を連通させた弁ユニットＶＵと、電磁パイロット弁４１を有するパイロット弁ユニットＰＵとを備える。上記第１及び第２ポートを有する二組の出力ポート１６，１７は、上記供給ライン１と略平行する方向に背向させて開口させる。【選択図】        図５
2004293575.tif 000002
【特許請求の範囲】
【請求項１】
両端に一対の接続ポートを有する圧力流体を流すための供給ラインを有し、その途中から分岐孔を分岐させた供給ユニットと、
弁ボディに形成された上記供給ラインと実質的に直交する弁孔を備え、該弁孔内に弁部材が摺動自在に収容され、かつ該弁孔に上記分岐孔に連通する導通孔、流路が切換えられる一対の第１及び第２ポートを有する二組の出力ポート、並びに必要な排出ポートを、直接または他の流路を介して連通させた弁ユニットと、電磁パイロット弁の動作により上記弁部材を切換駆動するパイロット弁ユニットと、
を備え、
上記弁ユニットにおける弁部材の駆動によって、上記導通孔から弁孔内に供給された圧力流体が、上記二組の出力ポートにおける第１ポートまたは第２ポートのいずれかに切換えて出力されるように構成されており、
上記第１及び第２ポートを有する二組の出力ポートが、弁ボディにおける上記弁孔と略直交しかつ上記供給ラインと略平行する方向に、互いに背向させて開口されている、
ことを特徴とする電磁弁装置。
【請求項２】
上記導通孔が弁部材内にその軸線に沿って形成され、弁ボディの一端において前記供給ユニットの分岐孔に接続され、該導通孔の反対側端が、弁ボディ内において弁部材により第１及び第２ポートに切換え接続される弁部材周囲の供給室に連通されている、
ことを特徴とする請求項１に記載の電磁弁装置。
【請求項３】
パイロット弁ユニットが、弁ボディの一端における上記導通孔が分岐孔に接続される側とは反対側の端面に装着されて、弁部材における当該端面側に位置するピストンの外端面にパイロット流体圧を作用させるようにパイロット流路が形成され、上記導通孔と分岐孔が接続される側の弁部材の端部における圧力流体の流路中に復帰バネを設けた、
ことを特徴とする請求項２に記載の電磁弁装置。
【請求項４】
上記弁孔に開口して上記第１及び第２ポートに連通させる第１及び第２弁孔連通孔、並びに上記第１及び第２ポートに連通する第１及び第２ポート連通孔を、上記弁ボディにおける第１及び第２ポートを開口させていない面に開口させ、
弁ボディにおける該面に、上記第１及び第２弁孔連通孔を第１及び第２ポートに個別的に流路を介して連通させ、該面への接合の向きを転向することにより流体の流路を相互に逆方向に連通させる流路変更板を取り付けた、
ことを特徴とする請求項１ないし３のいずれかに記載の電磁弁装置。
【発明の詳細な説明】
【０００１】
【発明の属する技術分野】
本発明は、圧力流体を複数の出力ポートに選択的に出力する電磁弁装置に関するものであり、特に圧力流体を出力する際にその流路を状況に応じて変更できるようにした電磁弁装置に関するものである。
【０００２】
【従来の技術】
供給された圧力流体を二つの出力ポートに選択的に出力し、シリンダ等のアクチュエータを駆動するようにした電磁弁は、従来から多用されている。
この電磁弁は、通常、近接配置された多数のアクチュエータを駆動するため、その多数をマニホールドベース上に並列搭載した電磁弁集合体として用いられ、そのため、該マニホールドベース内に設けた共通の供給流路及び排気流路を通して圧力流体を給排でき、また、該マニホールドベース等に設けた給電系により一括して電磁弁の駆動制御を行うことができる点で有利なものである。
【０００３】
しかしながら、多数のアクチュエータが近接配置されていない場合、例えば、ベルトコンベヤ等によって形成される生産ラインに沿って多数のアクチュエータが離散的に配置されている場合などには、電磁弁の出力ポートからアクチュエータまでの距離が長くなるため、長いチューブによってその間を接続する必要があり、アクチュエータの応答性に問題が生じる可能性があるばかりでなく、多数のアクチュエータが設置される場合には、それらのアクチュエータの数に応じて、電磁弁とアクチュエータの間にチューブの配管を行う必要があり、それらのチューブの配置スペースを考慮しなければならないと同時に、チューブの破損に対する対策も考慮しなければならなくなる。
【０００４】
【発明が解決しようとする課題】
本発明の解決すべき課題は、多数のアクチュエータが離散的に配置されている場合などに適し、供給ラインを相互に接続して電磁弁をアクチュエータに近接配置可能とし、それによって電磁弁からアクチュエータまでの距離を短くして、チューブの配管を少なくできるようにした電磁弁装置を提供することにある。
【０００５】
本発明の他の課題は、アクチュエータと電磁弁装置の設置の相対的な位置関係に対応し、両者間のチューブによる接続を容易にした電磁弁装置を提供することにある。
本発明のさらに他の課題は、電磁パイロット弁への通電・非通電によって決まる電磁弁の二つの出力ポートへの出力を、電磁パイロット弁を交換したりすることなく簡易に転換可能にして、容易にアクチュエータを逆作動できるようにした電磁弁装置を提供することである。
【０００６】
【課題を解決するための手段】
上記課題を解決するための本発明の電磁弁装置は、両端に一対の接続ポートを有する圧力流体を流すための供給ラインを有し、その途中から分岐孔を分岐させた供給ユニットと、弁ボディに形成された上記供給ラインと実質的に直交する弁孔を備え、該弁孔内に弁部材が摺動自在に収容され、かつ該弁孔に上記分岐孔に連通する導通孔、流路が切換えられる一対の第１及び第２ポートを有する二組の出力ポート、並びに必要な排出ポートを、直接または他の流路を介して連通させた弁ユニットと、電磁パイロット弁の動作により上記弁部材を切換駆動するパイロット弁ユニットとを備え、上記弁ユニットにおける弁部材の駆動によって、上記導通孔から弁孔内に供給された圧力流体が、上記二組の出力ポートにおける第１ポートまたは第２ポートのいずれかに切換えて出力されるように構成されており、上記第１及び第２ポートを有する二組の出力ポートが、弁ボディにおける上記弁孔と略直交しかつ上記供給ラインと略平行する方向に、互いに背向させて開口されていることを特徴とするものである。
【０００７】
上記構成を有する電磁弁装置は、例えば、ベルトコンベヤ等によって形成される生産ラインに沿って多数のアクチュエータを離散的に配置する場合などにおけるそれらのアクチュエータの駆動に適するもので、電磁弁装置を多数のアクチュエータにそれぞれ近接配置して、圧力流体を流すための供給ラインの両端の接続ポートをチューブにより相互に接続し、その供給ラインを通して圧力流体を供給すると、該供給ラインから分岐させた分岐孔を通して各供給ユニットに圧力流体が送給される。
【０００８】
そして、上記電磁弁装置の弁ユニットにおいては、弁ボディに形成された上記供給ラインと実質的に直交する弁孔に、流路が相互に切換えられる第１及び第２ポートを有する二組の出力ポート並びに必要な排出ポートを連通させ、それらの二組の出力ポート及び排出ポートを、上記供給ラインと略平行する方向に互いに背向して弁ボディに開口させているので、電磁弁装置とアクチュエータの配置の位置的関係から、上記二組のポートのうちの使用に便利な一方のポートを利用して他方を封止し、それによって便利に使用することができる。
【０００９】
上記電磁弁装置の好ましい実施の形態においては、上記導通孔が弁部材内にその軸線に沿って形成され、弁ボディの一端において前記供給ユニットの分岐孔に接続され、該導通孔の反対側端が、弁ボディ内において弁部材により第１及び第２ポートに切換え接続される弁部材周囲の供給室に連通されているものとして構成され、また、パイロット弁ユニットが、弁ボディの一端における上記導通孔が分岐孔に接続される側とは反対側の端面に装着されて、弁部材における当該端面側に位置するピストンの外端面にパイロット流体圧を作用させるようにパイロット流路が形成され、上記導通孔と分岐孔が接続される側の弁部材の端部における圧力流体の流路中に復帰バネを設けたものとして構成される。
【００１０】
更に、上記電磁弁装置においては、上記弁孔に開口して上記第１及び第２ポートに連通させる第１及び第２弁孔連通孔、並びに上記第１及び第２ポートに連通する第１及び第２ポート連通孔を、上記弁ボディにおける第１及び第２ポートを開口させていない面に開口させ、弁ボディにおける該面に、上記第１及び第２弁孔連通孔を第１及び第２ポートに個別的に流路を介して連通させ、該面への接合の向きを転向することにより流体の流路を相互に逆方向に連通させる流路変更板を取り付けることができる。
このような流路変更板を取付けると、電磁パイロット弁への通電・非通電によって決まる電磁弁の二つの出力ポートへの出力を、流路変更板の向きを変えるだけで変更することができ、その変更のために電磁パイロット弁を交換したりすることなく、簡易に転換して容易にアクチュエータを逆作動させることができる。
【００１１】
【発明の実施の形態】
以下、添付図面を参照して本発明の実施の形態について詳述する。
図１及び図５から分かるように、本発明に係る電磁弁装置は、概略的には、圧力流体（圧縮空気）を供給する供給ユニットＳＵと、該供給ユニットＳＵに連設し、供給ユニットＳＵから供給される圧縮空気を複数のポートへ選択的に分配して外部へ出力する弁ユニットＶＵと、この弁ユニットＶＵに連設し、該弁ユニットＶＵにおける圧縮空気の分配を制御するパイロット弁ユニットＰＵとから構成されている。
【００１２】
上記供給ユニットＳＵは、両端の開口部に一対の接続ポート２，３を有する圧力流体を流すための略筒状の供給ライン１を有し、その中間部に弁ユニットＶＵとの接合部４を突設して、該接合部４内に供給ライン１の途中から分岐した分岐孔５を設け、それを接合部４の端面に開口させている。
上記接続ポート２，３には、それぞれ管継手２ａ，３ａが装着され、空気圧源あるいは隣接する同構造の電磁弁装置とチューブを介して連結できるようにしている。
【００１３】
上記弁ユニットＶＵは、上記供給ユニットＳＵの接合部４に接合される直方体状の弁ボディ１０を主体とし、該弁ボディ１０上に接合される流路変更板１１を備えている。
弁ボディ１０内には、上記供給ライン１と実質的に直交する弁孔１２が形成されている。該弁孔１２は、弁ボディ１０の端面において上記供給ユニットＳＵの分岐孔５に直接的に連通させると共に、中間部に一対の排出ポート１４，１５を直接的に開口させ、該弁孔１２内に弁部材１３を摺動自在に挿通している。
また、上記流路変更板１１との間を通して、一対の第１及び第２ポートＡｘ，Ｂｘを有する出力ポート１６、並びに一対の第１及び第２ポートＡｙ，Ｂｙを有する出力ポート１７に連通させるための第１及び第２の弁孔連通孔Ａ，Ｂが、上記弁孔１２と弁ボディ１０における流路変更板１１の取付面との間に開設されている。従って、出力ポート１６，１７は、いずれも弁孔１２に直接連通していない。
【００１４】
更に、弁ボディ１０における流路変更板１１の取付面と出力ポート１６，１７における第１ポートＡｘ，Ａｙとの間には、ポート連通孔ａｘ，ａｙを開設し、後述するように、それらのポート連通孔ａｘ，ａｙを流路変更板１１との間を通して上記第１の弁孔連通孔Ａに連通させるようにし、また、弁ボディ１０における流路変更板１１の取付面と出力ポート１６，１７における第２ポートＢｘ，Ｂｙとの間には、ポート連通孔ｂｘ，ｂｙを開設し、同様にそれらのポート連通孔ｂｘ，ｂｙを、流路変更板１１との間を通して上記第２の弁孔連通孔Ｂに連通させるようにしている。上記弁ボディ１０における流路変更板１１の取付面は、第１ポートＡｘ，Ａｙや第２ポートＢｘ，Ｂｙを開口させていない面にする必要がある。
【００１５】
一組の出力ポート１６を構成する上記第１及び第２ポートＡｘ，Ｂｘは、上記排出ポート１４の両側に配設され、また、一組の出力ポート１７を構成する上記第１及び第２ポートＡｙ，Ｂｙは、上記排出ポート１５の両側に配設され、しかも、上記第１及び第２ポートを有する二組の出力ポート１６，１７は、弁ボディ１０における上記弁孔１２と略直交しかつ上記供給ライン１と略平行する方向に互いに背向して開口させている。
これらの背向して開口させた出力ポート１６及び出力ポート１７は、そのいずれかを、駆動しようとするアクチュエータとの相対的位置関係に応じて選択的に利用できるようにしたもので、使用しない出力ポートはプラグ等によって封止される。
【００１６】
弁孔１２に挿通した弁部材１３には、その中心軸に沿って、上記供給ユニットＳＵの分岐孔５に連通する導通孔１８を設け、更に該導通孔１８から弁部材１３の周囲の２箇所に設けた供給室２２ａ，２２ｂに分枝路２１ａ，２１ｂを開口させている。
また、上記弁部材１３の両端部外周には、それぞれＯリング２４及びウエアリング２５を設け、弁孔１２に対し弁部材１３をシール状態でガイドさせている。更に、該弁部材１３は、その外周面に複数のシール部材２６が設けられ、これらのシール部材２６が弁孔１２の内壁に密接することによりその部分をシールし、結果的に、これらのシール部材は、弁部材１３が一方の切換え位置（図５及び図６上半参照）にあるときには、供給室２２ａを封止し、供給室２２ｂを第２の弁孔連通孔Ｂに連通させると共に、第１の弁孔連通孔Ａを排出ポート１４，１５に連通させ、また、弁部材１３が他方の切換え位置（図６の下半参照）にあるときには、供給室２２ｂを封止し、供給室２２ａを第１の弁孔連通孔Ａに連通させると共に、第２の弁孔連通孔Ｂを排出ポート１４，１５に連通させるものである。
【００１７】
弁ボディ１０における流路変更板１１を取付ける取付面には、図２及び図３に示すように、弁孔１２へ連通する第１の弁孔連通孔Ａと第２の弁孔連通孔Ｂとを設けると共に、出力ポート１６を構成する第１及び第２ポートＡｘ，Ｂｘ、並びに、出力ポート１７を構成する第１及び第２ポートＡｙ，Ｂｙにそれぞれ連通するポート連通孔ａｘ，ｂｘ及びａｙ，ｂｙが設けられている。
【００１８】
一方、この取付面のねじ孔３１にねじ３２で取付けられる流路変更板１１の取付面には、図４の（ａ）または（ｂ）に示すように、上記弁ボディ１０の取付面に設けられた弁孔連通孔Ａ，Ｂとポート連通孔ａｘ，ａｙまたはｂｘ，ｂｙを連通させるための導通溝３３，３４が刻設されている。これらの導通溝３３，３４は、それぞれの周囲を囲むシール部材３５によって弁ボディ１０への接合時にシールされ、流路変更板１１をねじ３２により取外して図４の（ａ）及び（ｂ）に示すように相互に１８０°転向させて装着した場合に、上記弁孔連通孔Ａ，Ｂとポート連通孔との連通状態を逆転させるように形成したものである。
【００１９】
即ち、図４の（ａ）の姿勢を採る流路変更板１１の上下を反転させて、それを図３の（ａ）に示す弁ボディ１０の取付面に接合したときには、該変更板１１が図２に実線で示す姿勢をとり、同図３の（ａ）中に鎖線で示すように導通溝３３，３４が配設され、導通溝３３によって第１の弁孔連通孔Ａがポート連通孔ａｘ及びａｙに導通されると共に、導通溝３４によって第２の弁孔連通孔Ｂがポート連通孔ｂｘ及びｂｙと導通される。また、図４の（ｂ）の姿勢を採る流路変更板１１の上下を反転させて弁ボディ１０の取付面に接合したときには、流路変更板１１が図２に仮想線で示す姿勢をとり、図３の（ｂ）中に鎖線で示すように導通溝３３，３４が配設され、導通溝３３によって弁孔連通孔Ａがポート連通孔ｂｘ及びｂｙに導通されると共に、導通溝３４によって弁孔連通孔Ｂがポート連通孔ａｘ及びａｙと導通される。
【００２０】
上記弁ユニットＶＵに連設されるパイロット弁ユニットＰＵは、パイロット流体圧による弁部材１３の駆動によって、上記導通孔１８から弁孔１２内の供給室２２ａ，２２ｂ内に供給された圧縮空気を、上記二組の出力ポート１６，１７における第１ポートＡｘ，Ａｙまたは第２ポートＢｘ，Ｂｙのいずれかに切換えて出力させるためのものであり、電磁パイロット弁４１とパイロットアダプタ４２とを備えている。
【００２１】
上記電磁パイロット弁４１としては、公知の３ポート弁が用いられるので、ここではその説明を省略する。また、上記パイロットアダプタ４２は、弁部材１３の端部に当接するピストン４６が収容されて、圧力室４４へのパイロット流体圧の導入により該ピストン４６で弁部材１３を駆動するシリンダ部４５と、電磁パイロット弁４１が動作しないときなどに用いる手動操作部４７とを備えたものである。
更に、このパイロット弁ユニットＰＵを動作させるため、前記供給ユニットＳＵの接合部４と弁部材１３との間には復帰バネ３８を介在させ、また、弁ボディ１０における前記供給室２２ｂと電磁パイロット弁４１との間には、該電磁パイロット弁４１に圧縮空気を導入するためのパイロット供給通路３９を設けている。
【００２２】
上記電磁パイロット弁４１は、その通電によりパイロット出力流路４９を通して上記圧力室４４にパイロット流体圧を導入し、ピストン４６により復帰バネ３８に抗して弁部材１３を押圧し、弁部材１３を図６の上半に示す切換え位置から同下半に示す切換え位置に移動させるものである。また、電磁パイロット弁４１への通電を解除したときには、圧力室４４に導入していたパイロット流体圧が排出され、復帰バネ３８の付勢力により弁部材１３が旧位置（図６の上半参照）に復帰する。弁ボディ１０に設けた通孔５０は、ピストン４６を駆動する際の呼吸孔として機能すると共に、上記パイロット流体圧の排気路となるものである。
【００２３】
次に、この電磁弁装置の動作について説明する。
（１）流路変更板１１が、図２の実線位置に装着されている場合
（１）−１．電磁パイロット弁への非通電時
この電磁弁装置は、図６の上半に示すように、電磁パイロット弁４１への非通電時においては、復帰バネ３８が伸張してピストン４６が後退した切換え位置にある。そのため、弁部材１３は、シール部材２６が供給室２２ａを封止し、供給室２２ｂを弁孔連通孔Ｂに連通させると共に、弁孔連通孔Ａを排出ポート１４，１５に連通させる。その結果、弁孔連通孔Ｂを通して出力される流体が、流路変更板１１における導通溝３４を経て、ポート連通孔ｂｘ及びポート連通孔ｂｙから出力ポート１６，１７における第２ポートＢｘ，Ｂｙへ導入され、これにより上記第２ポートＢｘ，Ｂｙから圧縮空気が出力される。一方、弁孔連通孔Ａが排出ポート１４，１５に連通するので、出力ポート１６，１７における第１ポートＡｘ，Ａｙの圧縮空気は、排出ポート１４，１５から外部に排出される。
【００２４】
（１）−２．電磁パイロット弁への通電時
電磁パイロット弁４１への通電時においては、復帰バネ３８の付勢力に抗してピストン４６が弁部材１３を押圧し、弁部材１３を図６の下半に示す位置まで移動させた切換え位置にある。そのため、弁部材１３は、シール２６が供給室２２ｂを封止し、供給室２２ａを弁孔連通孔Ａに連通させると共に、弁孔連通孔Ｂを排出ポート１４，１５に連通させる。その結果、弁孔連通孔Ａを通して出力される流体が、流路変更板１１における導通溝３３を経て、ポート連通孔ａｘ及びポート連通孔ａｙから出力ポート１６，１７における第１ポートＡｘ，Ａｙへ導入され、これにより該第１ポートＡｘ，Ａｙから圧縮空気が出力される。一方、弁孔連通孔Ｂが排出ポート１４，１５に連通するので、出力ポート１６，１７における第２ポートＢｘ，Ｂｙの圧縮空気は、排出ポート１４，１５から外部に排出される。
【００２５】
（２）流路変更板１１が図２の鎖線位置に装着されている場合
流路変更板１１を１８０°転向させて図２の鎖線位置に装着した場合、弁部材１３の動作に関しては前述の（１）の場合と同様であり、弁部材１３の２つの位置おいて、それぞれの場合の圧縮空気の流路のみが異なるので、その異なるところのみを説明する。
【００２６】
（２）−１．電磁パイロット弁への非通電時
弁孔連通孔Ｂを通して出力される流体が、流路変更板１１における導通溝３４を経て、ポート連通孔ａｘ及びポート連通孔ａｙから出力ポート１６，１７における第１ポートＡｘ，Ａｙへ導入され、これにより電磁パイロット弁４１に非通電でありながら上記第１ポートＡｘ，Ａｙから圧縮空気が出力される。一方、弁孔連通孔Ａが排出ポート１４，１５に連通するので、出力ポート１６，１７における第２ポートＢｘ，Ｂｙの圧縮空気は、排出ポート１４，１５から外部に排出される。
【００２７】
（２）−２．電磁パイロット弁への通電時
弁孔連通孔Ａを通して出力される流体が、流路変更板１１における導通溝３３を経て、ポート連通孔ｂｘ及びポート連通孔ｂｙから出力ポート１６，１７における第２ポートＢｘ，Ｂｙへ導入され、これにより上記第２ポートＢｘ，Ｂｙから圧縮空気が出力される。一方、弁孔連通孔Ｂが排出ポート１４，１５に連通するので、出力ポート１６，１７における第１ポートＡｘ，Ａｙの圧縮空気は、排出ポート１４，１５から外部に排出される。
【００２８】
以上において本発明の一実施例について説明したが、本発明は上記実施例によって限定的に解されるものではなく、特許請求の範囲の精神を逸脱しない範囲内において種々の変更が可能である。
例えば、本発明の電磁弁装置では、圧縮空気に限らず、その他の流体の供給に用いることができ、正圧に限らず負圧について用いることもできる。
また、排出ポートは少なくとも一面に設けることもできるが、前記供給ライン１と同様に、隣接する同構造の電磁弁装置における排出ポート１４，１５を順次チューブ等で接続して、多数の電磁弁装置における排気を一括処理することもできる。
【００２９】
更に、上記実施例では、供給ラインの分岐孔に連通する導通孔を弁部材内に設けているが、上記分岐孔に連通する導通孔供給流体を弁ボディに形成した導通孔を介して弁孔における供給室２２ａ，２２ｂに導通しても良い。また、上記実施例では、出力ポート１６，１７を弁孔１２に直接連通させることなく、流路変更板１１の導通溝３３，３４を介して連通させているが、上記流路変更板１１を用いない場合には、それらを弁孔１２に直接連通させることができる。
【００３０】
【発明の効果】
以上に詳述した本発明の電磁弁装置は、多数のアクチュエータが離散的に配置されている場合などに適し、供給ラインを相互に接続して電磁弁をアクチュエータに近接配置することができ、それによって、電磁弁からアクチュエータまでの距離を短くして、チューブの配管を少なくすることができる。
また、弁ボディに、供給ユニットにおける圧縮空気の供給ラインと略平行する方向で、互いに背向させた二組の出力ポートを開口させているので、アクチュエータと電磁弁装置の設置の相対的な位置関係に対応して利用しやすい出力ポートを用い、両者間のチューブによる接続を容易に行うことができる。
更に、弁ボディに取付けた流路変更板により、電磁パイロット弁への通電・非通電によって決まる電磁弁の二つの出力ポートへの出力を逆に転換することができるので、電磁パイロット弁を交換したりすることなく簡易かつ容易にアクチュエータを逆作動させることができる。
【図面の簡単な説明】
【図１】本発明に係る電磁弁装置の全体構成を示す斜視図である。
【図２】図１の一部を分解して示す分解斜視図である。
【図３】（ａ）及び（ｂ）は、同装置における弁ボディの圧縮空気の流路の一部を示す説明図である。
【図４】（ａ）及び（ｂ）は、流路変更板の流路について示す説明図である。
【図５】同装置の要部の中心断面を示す断面図である。
【図６】同装置の一部の中心断面を拡大して示す拡大図である。
【符号の説明】
１    供給ライン
２，３    接続ポート
４    分岐孔
１０    弁ボディ
１１    流路変更板
１２    弁孔
１３    弁部材
１４，１５    排出ポート
１６，１７    出力ポート
１８    導通孔
２２ａ，２２ｂ    供給室
３３，３４    導通溝
３８    復帰バネ
４１    電磁パイロット弁
４６    ピストン
ＳＵ    供給ユニット
ＶＵ    弁ユニット
ＰＵ    パイロット弁ユニット
Ａｘ，Ａｙ    第１ポート
Ｂｘ，Ｂｙ    第２ポート
Ａ    第１弁孔連通孔
Ｂ    第２弁孔連通孔
ａｘ，ａｙ    第１ポート連通孔
ｂｘ，ｂｙ    第２ポート連通孔
【図１】
2004293575.tif 000003
【図２】
2004293575.tif 000004
【図３】
2004293575.tif 000005
【図４】
2004293575.tif 000006
【図５】
2004293575.tif 000007
【図６】
2004293575.tif 000008